(57)【要約】【課題】パソコンを用いずにコンテナ内から温度センサーの較正を行うことができるセンサー較正装置を提供することを目的とする。【解決手段】冷凍装置収納部１０のうちコンテナ本体１の内部側に設けられた基盤面３２に第１表示部４０，第１操作部５０を設ける。芯温センサー１１を芯温センサー接続部１２に接続し、芯温センサー１１を温度０度のアイスバスに浸ける。芯温センサー１１の検出した温度が０度（基準温度）を中心として所定の範囲であれば、コントローラ２０は第１表示部４０にその旨表示する。ユーザは第１表示部４０により芯温センサー１１が検出した温度が所定の範囲であることを確認して、第１操作部５０を操作して較正を実行する。コントローラ２０は芯温センサー１１が検出した温度が０度となるように較正する。【選択図】図１
2008180614.tif 000002
【特許請求の範囲】
【請求項１】
コンテナ（１００）に収納される貨物の温度を測定する温度センサー（１１）の較正を行うセンサー較正装置であって、
前記温度センサーが検出した温度に関する情報を表示し、前記コンテナに対して前記貨物と同じ側に設けられる第１表示部（４０）と、
前記較正のための操作を行い、前記コンテナに対して前記貨物と同じ側に設けられる操作部（５０）と
を備える、センサー較正装置。
【請求項２】
前記コンテナに対して前記貨物と反対側に設けられ、前記温度センサーが検出した温度を表示する第２表示部（６０）
を更に備える、請求項１に記載のセンサー較正装置。
【請求項３】
前記第１表示部は前記温度が基準温度を中心として所定の範囲に入っていること、若しくは前記温度センサーが検出した温度が定常したことを表示する、請求項１又は２に記載のセンサー較正装置。
【発明の詳細な説明】
【技術分野】
【０００１】
本発明は、センサー較正装置に関し、特に貨物の温度を測定する温度センサーの較正に関する。
【背景技術】
【０００２】
貨物を輸送するコンテナには、貨物（例えば青果物等）の内部温度を測定する芯温センサーが取り付けられている。そして正確な内部温度を測定するために、貨物の輸送前には芯温センサーの較正が行われる。具体的に、作業員はパソコンをコンテナ内に持ち運び、芯温センサーが接続されたコントローラとパソコンとを接続して芯温センサーの較正を行っている。このときコンテナ内にはパソコンへと電源を供給するコンセントがないため、パソコンは内部のバッテリーや外部電源から電源の供給を受ける。
【０００３】
なお、本発明に関連する技術として特許文献１が開示されている。特許文献１には、温湿度調整庫の外面に湿度センサーの較正装置を備える技術が開示されている。
【０００４】
【特許文献１】特開平６−２２９６５８号公報
【発明の開示】
【発明が解決しようとする課題】
【０００５】
複数のコンテナの芯温センサーを較正しようとすると、バッテリーの容量が足りず複数のバッテリーを予め準備する必要があった。また、パソコンと外部電源とをコードで接続する態様であれば、複数のコンテナを移動しなければならないので、コードの引き回しが不便であった。
【０００６】
このような問題を解決するために、コンテナ内にパソコン用のコンセントを設けることが考えられるが、冷却輸送するコンテナ内に強電のコンセントを設けることは安全上好ましくない。
【０００７】
また、特許文献１に記載の技術を単純にコンテナの芯温センサーの較正に適用すると、コンテナの庫外から芯温センサーの較正を行うことになり作業上の不便性が残る。
【０００８】
そこで、本発明は、パソコンを用いずにコンテナ内から較正を行うことができるセンサー較正装置を提供することを目的とする。
【課題を解決するための手段】
【０００９】
本発明に係るセンサー較正装置の第１の態様は、コンテナ（１００）に収納される貨物の温度を測定する温度センサー（１１）の較正を行うセンサー較正装置であって、前記温度センサーが検出した温度に関する情報を表示し、前記コンテナに対して前記貨物と同じ側に設けられる第１表示部（４０）と、前記較正のための操作を行い、前記コンテナに対して前記貨物と同じ側に設けられる操作部（５０）とを備える。
【００１０】
本発明に係るセンサー較正装置の第２の態様は、第１の態様に係るセンサー較正装置であって、前記コンテナに対して前記貨物と反対側に設けられ、前記温度センサーが検出した温度を表示する第２表示部（６０）を更に備える。
【００１１】
本発明に係るセンサー較正装置の第３の態様は、第１又は第２の態様に係るセンサー較正装置であって、前記第１表示部は前記温度が基準温度を中心として所定の範囲に入っていること、若しくは前記温度センサーが検出した温度が定常したことを表示する。
【発明の効果】
【００１２】
本発明に係るセンサー較正装置の第１の態様によれば、コンテナ内で第１表示部を視認しつつ温度センサーの較正を行うことができ、利便性がよい。
【００１３】
本発明に係るセンサー較正装置の第２の態様によれば、較正を貨物側で一旦行った後は、貨物とは反対側で温度を視認できるので利便性がよい。
【００１４】
本発明に係るセンサー較正装置の第３の態様によれば、温度が定常したことを視認して温度センサーを較正できる。また、温度検出センサーが検出した温度を表示する場合と比べて簡単な構成で第１表示部を構成できる。
【発明を実施するための最良の形態】
【００１５】
（第１の実施の形態）
本発明に係る第１の実施の形態のセンサー較正装置について説明する。図１はセンサー較正装置が設けられたコンテナを示す概略構成図である。コンテナ１００は、コンテナ本体１と、冷凍装置収納部１０と、芯温センサー１１とを備えている。
【００１６】
コンテナ本体１は例えば直方体状の箱であって内部に貨物が収納される。
【００１７】
芯温センサー１１はコンテナ１００に収納される貨物の内部温度を測定する。より具体的には、芯温センサー１１は貨物の内部温度に応じた信号値を後述するコントローラ２０に出力する。なお、一般的に芯温センサー１１は複数設けられるので、以下の説明においては３本の芯温センサー１１ａ〜１１ｃが設けられていることとし、これらを区別する必要がない場合は芯温センサー１１として表現する。
【００１８】
冷凍装置収納部１０はコンテナ本体１の一端側に設けられ、冷凍機構収納部８０と、制御機構収納部９０とを備えている。冷凍機構収納部８０は、コンテナ本体１の内部（以下、庫内とも呼ぶ）を冷凍する冷凍機構８１（例えば、図示せぬ圧縮機を有する）が収納される。制御機構収納部９０はコントローラ２０と、第１表示部４０と、第１操作部５０と、第２表示部６０と、第２操作部７０と、芯温センサー接続部１２とを備えている。なお、芯温センサー接続部１２は芯温センサー１１の数に応じて設けられている。
【００１９】
図２はコントローラ２０の概略的な内部構成と、コントローラ２０の接続状況を示す図である。コントローラ２０は、メモリ２１と、ＣＰＵ２２と、接続部２３ａ〜２３ｆとを備えている。ＣＰＵ２２は接続部２３ａ〜２３ｆを介して芯温センサー１１、第１表示部４０、第１操作部５０、第２表示部６０、第２操作部７０、冷凍機構８１とそれぞれ接続されている。
【００２０】
メモリ２１はＣＰＵ２２と接続されており、基準温度（例えば０度）に相当する芯温センサー１１の信号値が基準信号値として記録される。そして、ＣＰＵ２２は芯温センサー１１から送信された信号値をメモリ２１に記録された基準信号値で補正して貨物の内部温度を検出する。また、ＣＰＵ２２は第１操作部５０の操作入力を受けて芯温センサー１１を較正する。この点については後述する。
【００２１】
第２表示部６０はコントローラ２０によって制御され、冷凍機構８１の運転状況や庫内の状況等を表示する。コントローラ２０は、例えば庫内及び庫外に設けられた、図示せぬ温度センサー等を用いて、庫内の温度、冷凍機構８１の設定温度、外気温度等を第２表示部６０に表示する。
【００２２】
第２操作部７０はコントローラ２０と接続されてユーザによって冷凍機構８１の設定変更等の操作入力が行われる。そして、コントローラ２０は当該操作入力に従い冷凍機構８１を制御する。通常、コンテナ１００で貨物を輸送する場合は、庫内の状況を庫外から認識したり、設定を変更する必要があるため、図１に示すように、第２表示部６０及び第２操作部７０はコンテナ本体１の外部、より具体的には冷凍装置収納部１０のうち庫内と反対側の面に設けられた基盤面３１に設置されている。言い換えると、第２表示部６０及び第２操作部７０はコンテナ１００に対して貨物と反対側に設けられている。
【００２３】
第１操作部５０はコントローラ２０と接続されており、芯温センサー１１の較正に関する操作入力が行われる。図３は第１操作部５０の一例を示す概略構成図である。第１操作部５０は、較正を開始する開始ボタン５１と、較正する対象となる芯温センサー１１を切り替える切替ボタン５２と、較正を実行する確定ボタン５３とを備えている。第１操作部５０は各ボタンが押下されると、その旨をＣＰＵ２２に通知する。
【００２４】
第１表示部４０はコントローラ２０に制御されて、芯温センサー１１の較正に関する情報が表示される。図４は第１表示部４０の一例を示す概略構成図である。第１表示部４０は、較正開始表示部４１と、切替表示部４２と、較正可否表示部４３とを備えている。
【００２５】
較正開始表示部４１はＬＥＤ４１ａを備え、較正を開始する旨を表示する。切替表示部４２はＬＥＤ４２ａ〜４２ｃを備え、いずれの芯温センサー１１が選択されているのかを表示する。ＬＥＤ４２ａ〜４２ｃはそれぞれ芯温センサー１１ａ〜１１ｃに対応しており、例えば芯温センサー１１ａが選択されているときは、ＬＥＤ４２ａが点灯される。較正可否表示部４３はＬＥＤ４３ａを備え、芯温センサー１１が検出した温度が基準温度（０度）を中心として所定の範囲に入ったとき、若しくは検出した温度が定常したときに点灯される。即ち、第１表示部４０は芯温センサー１１が検出した温度に関する情報を表示するものと把握できる。
【００２６】
なお、図１に示すように、第１表示部４０及び第１操作部５０はコンテナ本体１の内部、より具体的には冷凍装置収納部１０から見て庫内側の面に設けられた基盤面３２に設置されている。言い換えると、第１表示部４０と、第１操作部５０はコンテナ１００に対して貨物と同じ側に設けられている。なお、芯温センサー接続部１２も基盤面３２に設置されて、芯温センサー１１から出力された信号値をコントローラ２０に伝達する。
【００２７】
また、冷凍装置収納部１０に収納された前述の構成要素は外部電源（不図示）と接続されて、電源トランスによって個々に適切な電源が一括的に供給される。この外部電源はコンテナの冷却輸送時に用いられるものであり、後述する芯温センサー１１の較正時にも接続される。
【００２８】
次に、芯温センサーの較正に関する動作について説明する。まず、３本の芯温センサー１１ａ〜１１ｃをそれぞれ芯温センサー接続部１２ａ〜１２ｃに接続して、第１操作部の開始ボタン５１を押下する。開始ボタン５１の押下を認識したＣＰＵ２２は第１表示部４０のＬＥＤ４１ａを点灯させて較正開始する旨を表示し、さらに現在選択されている芯温センサー１１に対応するＬＥＤを点灯させる。例えば芯温センサー１１ａが選択されていれば、ＬＥＤ４２ａを点灯させる。なお、開始ボタン５１の押下したことを以て、ＣＰＵ２２が較正を行っている旨を第２表示部に表示しても良い。この場合、ユーザは庫外から較正を行っていることを視認できる。
【００２９】
次に、選択された芯温センサー１１ａを基準温度（０度）であるアイスバス（清水と氷を攪拌したもの）に浸ける。ＣＰＵ２２は芯温センサー１１ａが出力した信号値を受信する。そして、メモリ２１に記録された基準信号値と受信した信号値とから算出した温度が、０度を中心として所定の範囲（例えば０±０．３度）であるかどうかを判断し、所定の範囲であれば第１表示部４０のＬＥＤ４３ａを点灯させる。あるいは、ＣＰＵ２２は当該温度が定常したかどうかを判断し、定常すれば第１表示部４０のＬＥＤ４３ａを点灯さてもよい。
【００３０】
そして、ユーザはＬＥＤ４３ａの点灯を確認して確定ボタン５３を押下する。確定ボタン５３の押下を認識したＣＰＵ２２は、メモリ２１に記録された基準信号値を芯温センサー１１ａが出力した信号値で更新する。以降は芯温センサー１１ａが出力した信号値をメモリ２１に格納された更新後の基準信号値で補正して貨物の内部温度を検出する。
【００３１】
次に、ユーザは切替ボタン５２を押下する。切替ボタン５２の押下を認識したＣＰＵ２２はＬＥＤ４２ａを消灯して、芯温センサー１１ｂに対応したＬＥＤ４２ｂを点灯させる。そして、芯温センサー１１ａと同様の動作によって芯温センサー１１ｂの較正を行う。残りの芯温センサー１１ｃについても芯温センサー１１ｂと同様の動作により較正を行う。
【００３２】
以上のように、ユーザはパソコンを持ち運ぶことなく、貨物側（庫内）から芯温センサー１１の較正を行うことができ、利便性がよい。また、芯温センサー１１の較正を行う際の電源をコンテナ１００に接続される外部電源によって行うことができる。なお、必ずしもコンテナ１００に外部電源を接続して芯温センサー１１の較正を行う必要はなく、コントローラ２０に電池を接続して芯温センサー１１の較正を行う態様であっても良い。
【００３３】
なお、第１表示部４０はＬＥＤの点灯／消灯によって表示するのではなく、ＬＥＤの発光色を変えて表示しても良い。
【００３４】
なお、芯温センサー１１は３本に限らず何本設けられても良い。また必ずしも芯温センサー１１を一つずつ較正する必要はなく、一括して全ての芯温センサー１１を較正してもよく、芯温センサー１１のうち複数本ずつ較正する態様であっても良い。
【００３５】
また、第１表示部４０はＬＥＤに限らず例えば図５に例示するようなセグメント表示部であってもよい。図５に示すように、切替表示部４２は一つのセグメントを備えており、ＣＰＵ２２は芯温センサー１１ａであれば１、芯温センサー１１ｂであれば２、芯温センサー１１ｃであれば３を切替表示部４２に表示することで、現在選択されている芯温センサー１１を表示する。また、較正可否表示部４３は例えば４つのセグメントを備えており、ＣＰＵ２２は選択された芯温センサー１１から受信した信号値に基づいて温度を表示する。そして、ユーザは表示された温度が基準温度（０度）を中心として所定の範囲に含まれていること、あるいは温度が定常したことを以て較正を行う。
【００３６】
但し、図４に示すようなＬＥＤ表示において芯温センサー１１が検出した温度が基準温度（０度）を中心として所定の範囲に含まれていること、あるいは温度が定常したことを表示する場合であれば、簡単な構成で第１表示部４０を構成できる。
【００３７】
（第２の実施の形態）
本発明に係る第２の実施の形態のセンサー較正装置について説明する。第２の実施の形態に係るセンサー較正装置の概略構成図は第１の実施の形態と同一である。但し、コントローラ２０は、較正後の芯温センサー１１ａ〜１１ｃが検出した信号値に基づいて算出された温度を第２表示部６０に表示する。例えば第２表示部６０は４桁のセグメント表示部を芯温センサー１１の数に応じて備えている。そして、コントローラ２０は当該温度（即ち、芯温センサー１１が検出した温度）を第２表示部６０に表示する。
【００３８】
従って、貨物のコンテナ輸送中にユーザは第２表示部６０によって貨物の内部温度を認識でき、当該内部温度に応じて冷凍機構８１の設定を変更することができる。即ち較正を貨物側で一旦行った後は、貨物とは反対側（庫外）で温度を視認できるので利便性がよい。
【図面の簡単な説明】
【００３９】
【図１】実施の形態に係るコンテナの概略断面図である。
【図２】コントローラの内部構成及び接続状況を示す概略図である。
【図３】第１操作部の概略構成図である。
【図４】第１表示部の概略構成図である。
【図５】第１表示部の概略構成図である。
【符号の説明】
【００４０】
１１，１１ａ〜１１ｃ  芯温センサー
４０  第１表示部
５０  第２操作部
６０  第２表示部
１００  コンテナ
【図１】
2008180614.tif 000003
【図２】
2008180614.tif 000004
【図３】
2008180614.tif 000005
【図４】
2008180614.tif 000006
【図５】
2008180614.tif 000007